(57)【要約】【課題】体型変化した女性の体型を引き立たせることが可能な上衣を提供する。【解決手段】後ろ身頃１２と前身頃１１とを袖ぐりＧを形成しつつ縫合して形成される上衣であって、異なる身幅（Ｙ・Ｗ）の前記後ろ身頃１２と前記前身頃１１を縫合してなることを特徴とする。【選択図】図１
2018035479.tif 000002
【特許請求の範囲】
【請求項１】
後ろ身頃と前身頃とを袖ぐりを形成しつつ縫合して形成される上衣であって、異なる身幅（Ｙ・Ｗ）の前記後ろ身頃１２と前記前身頃１１を縫合してなることを特徴とする上衣。
【請求項２】
前記前身頃の身幅が、前記後ろ身頃の身幅より大きいことを特徴とする請求項１に記載の上衣。
【請求項３】
基準サイズにおける後ろ身頃の身幅をｂ、前身頃の身幅をａ、袖ぐりのカマ巾をｃとした場合、前記後ろ身頃の身幅ｂ’：前記袖ぐりのカマ巾ｃ’：前記前身頃の身幅ａ’＝ｂ：１．５ｃ：２ｂであることを特徴とする請求項２に記載の上衣。
【請求項４】
身幅の異なる前身頃と後ろ身頃を、袖ぐりを形成しつつ脇に沿って縫合することを特徴とする上衣の縫製方法。
【発明の詳細な説明】
【技術分野】
【０００１】
本発明は、シャツやブラウス等の上衣に係わり、特に、近年の女性の体型変化に対応して、その変化した体型を引き立たせることの可能な上衣に関するものである。
【背景技術】
【０００２】
図２および図３に示すように、シャツやブラウス等の胸元を閉じた状態で着用する上衣１には、複数のサイズが設定されている。
たとえば、既成の上衣では、９号を標準としその前後に多数のサイズが設定されており、図３および図４に示すように、前身頃２や後ろ身頃３等の、各部位間の寸法比率は、各サイズ間において一定である。
また、サイズピッチを円周に対して等分に広げていく方法がとられている。
【０００３】
そして、着用者は、上衣を自身の体型に合わせる際には、複数設定されたサイズから、フィット感のあるサイズを選択するようにしている。
【０００４】
一方、たとえば、特許文献１に示されるように、標準の寸法に縫製された上衣に寸法調整領域を設けておき、この寸法調整領域を着用者の体型に合わせて調整することによって、着用者の体型に合わせることが提案されている。
【先行技術文献】
【特許文献】
【０００５】
【特許文献１】特表２００８−５４４０９４号公報
【発明の概要】
【発明が解決しようとする課題】
【０００６】
前述した既成の上衣にあっては、着用者は、自身の体型の大きい部位に合わせてサイズを選択するか、あるいは、その都度、寸法調整領域の調整を行なって、上衣を自己の体型にフィットさせている。
【０００７】
ところで、近年、下着の研究によってバストの形を整えることができるようになった結果バストがサイズアップし、また、エクササイズやトレーニングの一般化によって、背中がすっきりとした体型の女性が増えている。
【０００８】
このような体型変化に合わせて、規定の寸法比で形成された既成の上衣を選択すると、以下のような不具合が生じる。
【０００９】
すなわち、既成の上衣において、前述したようにバストがサイズアップし、背中がすっきりした体型に合わせるためには、図５に示すように、大きめの前身頃４を備えたサイズの上衣５を選択しなければならない。
【００１０】
しかしながら、前記上衣１にあっては、図４に示すように、前記前身頃２の身幅ａと、前記後ろ身頃３の身幅ｂとの比が決まっており、その比は、サイズに関係なくほぼ一定である。
【００１１】
ここで、前記上衣５の前身頃４の身幅をｃとし、後ろ身頃６の身幅をｄとすると、ａ：ｂ＝ｃ：ｄとなる。
また、ａ＜ｃであるから、ｂ＜ｄとなる。
【００１２】
したがって、前記上衣５が全体的に大きくなることから、図５に示すように、体型変化の小さい部位、すなわち、すっきりした背中側において、身体Ｐと上衣との間に大きな隙間が生じてだぶつき、フィット感が損なわれる。
また、このようだぶつきによって、整えられた体型が隠されてしまうこともある。
【００１３】
本発明は、このような従来の問題点に鑑みてなされたもので、変化した女性の体型にフィットし、その体型を美しく引き立たせる上衣を提供することを解決すべき課題としている。
【課題を解決するための手段】
【００１４】
前述した課題を解決するために、本発明に係わる上衣は、後ろ身頃と前身頃とを袖ぐりを形成しつつ縫合して形成される上衣であって、前記後ろ身頃と前記前身頃の身幅が異なることを特徴としている。
【００１５】
このような構成とすることにより、前記後ろ身頃および前記前身頃が、近年の女性の体型であるすっきりした背中とふくよかなバストのそれぞれにフィットする。
【００１６】
したがって、上衣と着用者との間に形成される隙間が小さく抑えられ、だぶつき感も抑制される。
【００１７】
ここで、基準サイズにおける後ろ身頃の身幅をｂ、前身頃の身幅をａ、袖ぐりのカマ巾をｃとした場合、前記後ろ身頃の身幅ｂ’：前記袖ぐりのカマ巾ｃ’：前記前身頃の身幅ａ’＝ｂ：１．５ｃ：２ｂとすることが好ましい。
【００１８】
たとえば、９号サイズの場合には、ｂを９号サイズとし、ｃを１サイズ大きく(１１号サイズ）、ａを２サイズ大きく(１３号サイズ）とすることが好ましい。
【００１９】
このような寸法設定により、特に、加齢により変化した女性の体型に効果的に対応することができる。
【００２０】
また、本発明の上衣によれば、一つのサイズにより、着用者のある程度の体型変化に対応することができ、着用可能な期間を延ばすことも可能となる。
【００２１】
そして、前記前身頃のサイズを、前記後ろ身頃のサイズより１サイズ大きくしておくことにより、上半身の前方への体型変化が多いことへの対応ができる。
【００２２】
そして、前記上衣は、身幅の異なる前身頃と後ろ身頃を、袖ぐりを形成しつつ脇に沿って縫合することによって縫製される。
【発明の効果】
【００２３】
本発明の上衣によれば、変化している体型に良好にフィットし、着用時の違和感を軽減し、その体型を引き立たせることができる。
【図面の簡単な説明】
【００２４】
【図１】本発明の一実施形態を示すもので、上衣の横断面図である。
【図２】上衣の一例を示す正面図である。
【図３】上衣の一例を示す概略側面図である。
【図４】上衣の一例を示す横断面図である。
【図５】上衣の一例を示す横断面図である。
【発明を実施するための形態】
【００２５】
以下、本発明の一実施形態について、図１を参照して説明する。
図１において符号１０は、本実施形態に係わる上衣を示し、図３および図４に示す上衣１と同様に、前身頃１１と後ろ身頃１２とを備えている。
【００２６】
前記上衣１０は、複数の規定サイズ毎に寸法設定された前身頃１１と後ろ身頃１２とを用い、任意の一つの規定サイズの後ろ身頃１２と、この後ろ身頃１２の規定サイズと異なる規定サイズの前身頃１１とを縫合して形成してなることを特徴としており、本実施形態においては、前記前身頃１１を前記後ろ身頃１２よりも大きなサイズとしている。
【００２７】
たとえば、前記上衣１０を女性用とし、９号サイズを基準とした場合、９号サイズにおいて設定された寸法の後ろ身頃１２と、１１号サイズにおいて設定された寸法の前身頃１１とを、両脇の中心部において縫合することによって縫製されている。
【００２８】
したがって、図４に示す上衣１を９号サイズとし、設定されている前身頃２の身幅をａとし、本実施形態において用いられる前身頃１１の身幅をＷとし、また、９号サイズにおいて設定されている後ろ身頃の身幅をｂとし、本実施形態において用いられる後ろ身頃１２の身幅をＹとすると、「ａ＜Ｗ」、「ｂ＝Ｙ」の関係となる。
【００２９】
着用者Ｐは、比較的体型変化の少ない上半身後部の形状にフィットする後ろ身頃１２を備えた上衣１０を選択して着用する。
【００３０】
このように選択された上衣１０を着用すると、図１（ａ）に示すように、前記後ろ身頃１２が着用者Ｐの背中にフィットし、前記前身頃１１が、着用者Ｐの胸部や腹部に対して隙間をおいて対峙させられる。
【００３１】
ここで、前記上衣１０は、前記前身頃１１だけが大きめに設定されていることから、前述した隙間が最小限度に押さえられてだぶつき感が抑制される。
【００３２】
このように、本発明の上衣によれば、加齢により変化した女性の体型にフィットし、その変化した体型を引き立たせることができる。
【００３３】
ここで、基準サイズにおける前記後ろ身頃の身幅をｂ、前記前身頃の身幅をａ、前記袖ぐりのカマ巾をｃとし、本発明にかかわる上衣の後ろ身頃の身幅をｂ’、前身頃の身幅をａ’、袖ぐりのカマ巾をｃ’とした場合、ｂ’≒ｂ、ｃ’≒１．５ｃ、ａ’≒２ａとすることにより、どのサイズの上衣を選択しても、変化した近年の女性の体型に有効に対応することができる。
【００３４】
具体的には、９号サイズの場合には、ｂを９号サイズとし、ｃを１サイズ大きく(１１号サイズ）、ａを２サイズ大きく(１３号サイズ）とすることが好ましい。
【００３５】
なお、前記実施形態において示した各構成部材の諸形状や寸法等、あるいは、使用状態等は一例であって種々変更可能である。
【符号の説明】
【００３６】
１  上衣
２  前身頃
３  後ろ身頃
４  前身頃
５  上衣
６  後ろ身頃
１０  上衣
１１  前身頃
１２  後ろ身頃
Ｇ  袖ぐり
Ｋ  カマ幅
【図１】
2018035479.tif 000003
【図２】
2018035479.tif 000004
【図３】
2018035479.tif 000005
【図４】
2018035479.tif 000006
【図５】
2018035479.tif 000007